(57)【要約】【課題】  金融機関等に設置されている宝くじ自動化機器と携帯端末を用いて宝くじを購入する場合、購入する宝くじの種類、数字、タイプ（ナンバーのみ）、口座、回数を自動化機器にて複数の顧客操作画面に分けて入力させており、顧客操作時間が非常に長くなるという問題がある。【解決手段】顧客が携帯端末において専用アプリケーションを使い、宝くじ購入内容を事前に登録しておき、自動化機器宝くじ購入取引の際に、顧客が宝くじ購入内容データを携帯端末から自動化機器に転送することにより短時間に購入取引を行うことができるようにした。【選択図】        図１
2005115680.tif 000002
【特許請求の範囲】
【請求項１】
宝くじ購入内容事前入力の専用アプリケーションを有する携帯端末と、操作画面／タッチパネル、プリンタおよび顧客媒体のリーダ／ライタを有し、ネットワークでホストコンピュータと通信可能な自動化機器とよりなることを特徴とする宝くじ購入システム。
【請求項２】
請求項１において、携帯端末および自動化機器が赤外線通信機能を有することを特徴とする宝くじ購入システム。
【請求項３】
携帯端末にインストールされている宝くじ購入内容事前入力の専用のアプリケーションによって予め購入する宝くじの購入内容を入力しておき、購入に際して、その予め入力してある購入内容を携帯端末から自動化機器に転送し、自動化機器はそれによってホストコンピュータに対して通信処理を実行して購入取引を行うことを特徴とする宝くじ購入方法。
【請求項４】
請求項３において、携帯端末と自動化機器とを赤外線により通信することを特徴とする宝くじ購入方法。
【請求項５】
携帯端末にインストールされている宝くじ購入内容事前入力の専用のアプリケーションによって予め購入する宝くじの購入内容を入力するステップと、
宝くじを購入する際に、自動化機器に宝くじ購入取引を選択するステップと、
その選択によって自動化機器に携帯端末の上記購入内容を転送するステップと、
その転送によって自動化機器がホストコンピュータに対して通信処理を実行して購入取引を成立させることを特徴とする宝くじ購入システムのプログラム。
【発明の詳細な説明】
【技術分野】
【０００１】
本発明は、金融機関等の自動化機器宝くじ購入システムおよび購入方法さらに購入システムのプログラムに関する。
【背景技術】
【０００２】
従来の自動機器による宝くじの購入装置としては、顧客操作表示部に設けた宝くじ購入用のキーが選択されると、宝くじの種類を顧客操作表示部に表示し、何れか一つの宝くじが選択されたときはその宝くじの抽選数字の入力を顧客操作表示部を通して指示し、テンキーと自動キー又は何れか一方のキーが操作されたときその操作に基づいて抽選数字を設定し、抽選数字の設定が終了したときは宝くじの購入数及び抽選回数の入力を顧客操作表示部を通して指示し、テンキーにより購入数及び抽選回数が入力されたときはそれらを基に購入金額を算出し、かつ、その結果をいままでの各情報と共に上位装置に転送するものがある（例えば特許文献１参照。）。
【特許文献１】特開２００１−２１６４４６公報
【発明の開示】
【発明が解決しようとする課題】
【０００３】
しかしながら、上述した従来の技術においては、購入する宝くじの種類、数字、タイプ（ナンバーのみ）、口座、回数を自動化機器にて複数の顧客操作画面に分けて入力させている。
このように宝くじ購入内容を複数画面にわたって入力させる方法では、顧客操作時間が非常に長くなるという問題がある。
【０００４】
また、携帯端末によりネットワークを介して販売される技術においては、直接に自動化機器によって購入する技術ではないために、この場合、直接自動化機器から購入するときには上記と同様に顧客操作に時間がかかることになる。
本発明は、上記の問題点を解決するためになされたもので、顧客が携帯端末において専用アプリケーションを使い、宝くじ購入内容を事前に登録しておき、自動化機器宝くじ購入取引の際に、顧客が宝くじ購入内容データを携帯端末から自動化機器に転送することにより短時間に購入取引を行うことができるようにした手段を提供することを目的とする。
【課題を解決するための手段】
【０００５】
本発明は、上記課題を解決するために、宝くじ購入内容事前入力の専用アプリケーションを有する携帯端末と、操作画面／タッチパネル、プリンタおよび顧客媒体のリーダ／ライタを有し、ネットワークでホストコンピュータと通信可能な自動化機器とよりなることを特徴とする宝くじ購入システムとした。
また、携帯端末にインストールされている宝くじ購入内容事前入力の専用のアプリケーションによって予め購入する宝くじの購入内容を入力しておき、購入に際して、その予め入力してある購入内容を携帯端末から自動化機器に転送し、自動化機器はそれによってホストコンピュータに対して通信処理を実行して購入取引を行うことを特徴とする宝くじ購入方法とした。
【０００６】
さらに、携帯端末にインストールされている宝くじ購入内容事前入力の専用のアプリケーションによって予め購入する宝くじの購入内容を入力するステップと、宝くじを購入する際に、自動化機器に宝くじ購入取引を選択するステップと、その選択によって自動化機器に携帯端末の上記購入内容を転送するステップと、その転送によって自動化機器がホストコンピュータに対して通信処理を実行して購入取引を成立させることを特徴とする宝くじ購入システムのプログラムとした。
【発明の効果】
【０００７】
これにより、本発明は、自動化機器宝くじ購入取引において、顧客が事前に入力した宝くじ購入内容を携帯端末から購入時に自動化機器に転送させることで、購入時の顧客の入力操作を減らし、操作時間を短縮させることができるという効果が得られる。
【発明を実施するための最良の形態】
【０００８】
以下に、図面を参照して本発明の実施例を説明する。
図１は本発明の実施例を示すブロック図である。
１は中央のホストコンピュータ、２は金融機関等の自動化機器であり、操作表示画面／タッチパネル３、レシートプリンタ４、リーダ／ライタ５、キャッシュカード等の顧客媒体挿入口および必要に応じて案内音声発声装置等を有すると共に赤外線通信が可能となるように赤外線アダプタ６が設けてある。また、ＡＴＭにそのような機能を付加したものでもよい。
【０００９】
７は携帯電話等の携帯端末であり、インストール済みの宝くじ購入内容事前入力の専用アプリケーションを有すると共に赤外線通信機能を有する。
このような構成によって、顧客が、携帯端末７において専用アプリケーションを使い、宝くじ購入内容データを事前に登録しておく。そして、自動化機器で宝くじを購入する際に、顧客が画面を通じて宝くじ購入操作を実行する代わりに、赤外線通信機能を使って、宝くじ購入内容データを携帯端末から自動化機器に転送する。その後、画面にて宝くじ購入内容を確認させ、その後の取引を継続させるものである。
【００１０】
そこで、まず、携帯端末７に、購入を希望する宝くじの購入内容を予め登録する作用を以下に図２に示すフローチャートを用いて説明する。
ＳＡ１  携帯端末７にインストール済みの宝くじ購入内容事前入力の専用アプリケーションを起動する。
ＳＡ２  専用アプリケーションが起動すると、最初にメニュー画面を表示する。その画面には、登録内容確認、データ登録、データ削除、アプリケーション終了の４項目を表示し、これらのうちいずれかの項目が選択されると、それに対応する処理を実行する。
ＳＡ３  ＳＡ２で登録内容確認が選択された場合、登録データ選択画面を表示する。本画面には、アプリケーションに登録済みの事前入力データの一覧を表示し、詳細内容を表示したい事前入力データを選択させる。
ＳＡ４  ＳＡ３で事前入力データが選択された場合、登録内容確認画面を表示する。本画面には、事前入力した宝くじ購入内容の詳細を表示する。
ＳＡ５  ＳＡ２でデータ登録を選択した場合、宝くじ種類選択画面を表示する。購入する宝くじの種類（ナンバーズ、ロト等）を選択させる画面であり、種類選択後は、対応する宝くじ詳細入力画面へと移行する。
ＳＡ６  ＳＡ５で宝くじの種類を選択後、対応する宝くじ購入内容入力画面を表示する。本画面にて数字、タイプ（ナンバーズのみ）、口数、回数を入力させる。
【００１１】
ＳＡ７  ＳＡ６で入力した結果と購入金額を画面に表示する。入力データを訂正する場合には、訂正キー選択でＳＡ６に戻る。登録内容に問題がなければ登録キー選択でデータ登録処理に移行する。
ＳＡ８  ＳＡ７で確認した宝くじ購入内容を、アプリケーションを終了しても保持可能な携帯端末内記憶領域に保存する。
ＳＡ９  ＳＡ８のデータ登録処理終了後、登録結果画面を表示し、メニュー画面キー選択でＳＡ２のメニュー画面へと戻る。
ＳＡ１０  ＳＡ２にてデータ削除が選択されると、登録データ選択画面を表示する。本画面では削除対象の事前入力データの一覧を表示する。
ＳＡ１１  ＳＡ１０にて事前入力データの１つが選択されると、登録内容と削除確認画面を表示する。本画面では、該当事前入力データの購入詳細内容を表示し、削除キーを選択することでデータ削除処理に移行する。
ＳＡ１２  ＳＡ１１で削除キーを選択した場合、該当事前入力データのデータ削除処理を実施する。
ＳＡ１３  ＳＡ１２のデータ削除処理が終了すると、削除が成功した旨を表示するための削除結果画面を表示する。メニュー画面キー選択によりメニュー画面に戻る。
ＳＡ１４  ＳＡ２で終了キーが選択されると本アプリケーションを終了する。
【００１２】
つぎに、上記機能を有する携帯端末７に対応する金融機関等の自動化機器２における宝くじ購入取引を以下に図３、図４のフローチャートを用いて説明する。
ＳＢ１  操作表示画面／タッチパネル３の取引選択画面にて宝くじ購入取引を選択する（既存処理）。
ＳＢ２  宝くじ購入確認画面を表示する（既存処理）。
ＳＢ３  キャッシュカード等の顧客媒体を挿入口に挿入することを促す画面を表示するか音声によって促し、顧客媒体を挿入し、リーダ／ライタ５で読み取る（既存処理）。
ＳＢ４  操作表示画面／タッチパネル３に表示した字顧客暗証番号の入力を促す画面を表示するか音声によって入力を促し、暗証番号を入力する（既存処理）。
ＳＢ５  購入可能な宝くじ種類をホストコンピュータ１へ確認する（既存処理）。
ＳＢ６  ＳＢ５で購入可能な宝くじ種類を画面に表示する。またそれと同時に、携帯端末７内アプリケーションで事前入力した宝くじ購入内容を自動化機器２に転送するためのキー、例えば「事前入力データ転送」を画面に表示させる。
ＳＢ７  ＳＢ６で事前入力データ転送が選択されると、赤外線通信確認画面を表示する。本画面では、顧客に自動化機器２の所定位置に携帯端末７を置くように促すイラスト、画像、動画等を表示するか、音声で促す。また、確認キーを表示し、キー押下により赤外線通信処理を開始する。
【００１３】
ＳＢ８  ＳＢ７による自動化機器２からの赤外線により携帯端末７を起動させるか、自動化機器２の画面等により携帯端末７の起動を促し、携帯端末７との赤外線通信を行い、携帯端末７の事前入力データの自動化機器２への転送を実行する。
ＳＢ９  通信結果が不良の場合、再通信実行確認画面を表示する。画面中の再通信キーを選択すると、ＳＢ８の対携帯端末赤外線通信処理を実行する。取引取消しキーを選択すると、取引取消し処理（既存処理）を実行する。
ＳＢ１０  通信結果ＯＫで事前入力データが存在しなかった場合、事前入力データなし画面を表示する。本画面では、携帯端末内に事前入力データが存在しない旨を表示する。取引継続キーを選択すると、宝くじ種類選択（既存処理）から取引を実施する。取引取消しキーを選択すると、取引取消し処理（既存処理）を実行する。
ＳＢ１１  通信結果ＯＫで事前入力データが複数存在する場合、事前入力データ選択画面を表示する。本画面では、データ転送した複数の事前入力データの一覧を表示し、取引に使用するデータ１つを顧客に選択させる。
ＳＢ１２  通信結果ＯＫで事前入力データが１つの場合、もしくはＳＢ１１で複数の事前入力データのうち１つを選択した場合、事前入力内容確認画面を表示する。本画面では該当する宝くじ購入内容の詳細を表示する。確認キー選択により、次処理へ移行する。
ＳＢ１３  ＳＢ１２で宝くじ購入内容の詳細を確認した後、口座からの引き落とし金額確認画面を表示する。確認キー選択により、次処理へ移行する。
ＳＢ１４  対ホストコンピュータ通信の前に、再度宝くじ購入確認画面を表示する。確認キー選択により次処理へ移行する。
ＳＢ１５  対ホストコンピュータ通信処理を実行し、取引成立の場合は、顧客媒体およびプリンタ４で印刷した利用明細票（レシート）を排出する。
ＳＢ１６  顧客媒体、利用明細票排出画面を表示し、顧客に顧客媒体と利用明細票の受取りを促すか、音声によってそれらの受取りを促す。受取り後、取引を終了し、取引選択画面へ移行する。
【図面の簡単な説明】
【００１４】
【図１】実施例を示すブロック図
【図２】携帯端末への事前入力の動作を示すフローチャート
【図３】宝くじ購入取引の動作を示すフローチャート
【図４】宝くじ購入取引の動作を示すフローチャート
【符号の説明】
【００１５】
１  ホストコンピュータ
２  自動化機器
３  操作表示画面／タッチパネル
４  プリンタ
５  リーダ／ライタ
６  赤外線アダプタ
７  携帯端末
【図１】
2005115680.tif 000003
【図２】
2005115680.tif 000004
【図３】
2005115680.tif 000005
【図４】
2005115680.tif 000006